(57)【特許請求の範囲】
【請求項１】
被写体の画像を撮像する撮像装置と、前記撮像装置の光軸に対して垂直となるように前記撮像装置の前面に配置され前記被写体の反射像を映す鏡と、前記鏡のうち前記光軸と交わる箇所に設けられ前記鏡に映る前記被写体の反射像中の目の位置が合わせられる開口部と、前記鏡の裏面側左右両端に設けられた可視光光源部と、前記鏡の表面側左右両端に設けられ左右に対応する前記可視光光源部からの光を遮光する遮光板とを備えたことを特徴とする目画像撮像装置。
【請求項２】
被写体の画像を撮像する撮像装置と、前記撮像装置の光軸に対して垂直となるように前記撮像装置の前面に配置され前記被写体の反射像を映す鏡と、前記鏡のうち前記光軸と交わる箇所に設けられ前記鏡に映る前記被写体の反射像中の目の位置が合わせられる開口部と、前記鏡の表面側左右両端に設けられ表と裏で色が異なるマークとを備えたことを特徴とする目画像撮像装置。
【請求項３】
前記鏡は前記開口部を設けないハーフミラーであることを特徴とする請求項１または請求項２に記載の目画像撮像装置。
【請求項４】
前記鏡は可視光を吸収する材料で構成されていることを特徴とする請求項１乃至請求項３のいずれかに記載の目画像撮像装置。
【請求項５】
撮影範囲が被写体距離で横ｄ縦ｈであるような撮像装置を使用するとき前記鏡の大きさとして横ｄ／２、縦ｈ／２の鏡を用いたことを特徴とする請求項１乃至請求項４のいずれかに記載の目画撮像装置。
【請求項６】
撮影範囲が被写体距離で横ｄ縦ｈであるような撮像装置を使用するとき前記鏡に横ｄ／２縦ｈ／２の大きさの形状枠を設けたことを特徴とする請求項１乃至請求項５のいずれかに記載の目画像撮像装置。
【請求項７】
前記鏡の横の長さとして被写体の両目が写る長さとしたことを特徴とする請求項１乃至請求項６のいずれかに記載の目画像撮像装置。
【請求項８】
前記鏡として可視光吸収特性を持たせたことを特徴とする請求項１乃至請求項７のいずれかに記載の目画像撮像装置。
【請求項９】
前記鏡と前記撮像装置とが一体となって前記鏡を水平軸周りに回動させる機構を設けたことを特徴とする請求項１乃至請求項８のいずれかに記載の目画像撮像装置。
【発明の詳細な説明】
【０００１】
【発明の属する技術分野】
本発明は個人認証を行うために虹彩等の画像を取得する目画像撮像装置に係り、特に、被認証者の目の位置を撮影範囲内に精度良く誘導することができる目画像撮像装置に関する。
【０００２】
【従来の技術】
個人認証に対する社会的ニーズが高まり、個人の生体情報を用いた認証装置が普及するようになってきている。使用される個人の生体情報としては、指紋が一般的であるが、虹彩パターンや網膜パターン等も注目されるようになってきている。虹彩パターンや網膜パターンを個人認証に使用する場合、指紋と違い非接触で虹彩パターン等を撮影すればよいという利点がある。
【０００３】
しかし、迅速且つ的確に良好な虹彩パターン等を撮影できないと、被認証者を待たせる時間が長くなり、不快感を与えてしまう。そこで、虹彩パターン等を撮影するカメラの前面位置に被認証者の目が来るように誘導し、良好な目の画像を撮影できるようにする必要がある。
【０００４】
図１６は、例えば特開２０００−５１４６号公報に記載されている従来の目画像撮像装置の外観図である。この目画像撮像装置１の筐体前面には、コールドミラー２と赤外線照明部３とが設けられており、コールドミラー２の背面側にカメラが内蔵されている。そして、コールドミラー２の中央には前記カメラのレンズ位置を示すマーキングマーク４が設けられ、被認証者は、自身の目がコールドミラー２に映るように目画像撮像装置１の前面位置に立つことで、カメラが被認証者の目の画像を取得する構成となっている。
【０００５】
【発明が解決しようとする課題】
しかしながら、上記従来の目画像撮像装置は、図１７（ａ）に示す様に、コールドミラー２に映る右目の像を左目で見た状態、あるいはその逆で、コールドミラー２に映る左目の像を右目で見た状態で、被認証者が正しい撮影位置にいると判断した場合、図１７（ｂ）に示す様に、撮影画面５の中央に眉間の位置が来てしまい、右目を撮影画面５の中央に位置合わせできない、あるいは左目を撮影画面５の中央に位置合わせできないという問題もある。
【０００６】
本発明は、上記従来技術の問題を解決するために為されたものであり、正しい撮影位置に被認証者の目の位置を簡単に誘導することができる目画像撮像装置を提供することを目的とする。
【０００７】
【課題を解決するための手段】
本発明の目画像撮像装置は、被写体の画像を撮像する撮像装置と、前記撮像装置の光軸に対して垂直となるように前記撮像装置の前面に配置され前記被写体の反射像を映す鏡と、前記鏡のうち前記光軸と交わる箇所に設けられ前記鏡に映る前記被写体の反射像中の目の位置が合わせられる開口部と、前記鏡の裏面側左右両端に設けられた可視光光源部と、前記鏡の表面側左右両端に設けられ左右に対応する前記可視光光源部からの光を遮光する遮光板とを備えたことを特徴とする。
【０００８】
この構成により、被認証者は、左右の遮光板からその背面の可視光光源部が見えるか否かにより自身の左右どちらの目が撮影位置に入っているか否かや、左目（あるいは右目）で右目（あるいは左目）の像を見ている状態であるかを容易に判断可能となり、撮影位置の位置合わせをスムースに行うことが可能となる。
【０００９】
本発明の目画像撮像装置は、被写体の画像を撮像する撮像装置と、前記撮像装置の光軸に対して垂直となるように前記撮像装置の前面に配置され前記被写体の反射像を映す鏡と、前記鏡のうち前記光軸と交わる箇所に設けられ前記鏡に映る前記被写体の反射像中の目の位置が合わせられる開口部と、前記鏡の表面側左右両端に設けられ表と裏で色が異なるマークとを備えたことを特徴とする。
【００１０】
この構成によっても、被認証者は、自身の左右どちらの目が撮影範囲内に入っているのか否かや、左目（あるいは右目）で右目（あるいは左目）の像を見ている状態であるかを容易に判断可能となり、撮影位置の位置合わせをスムースに行うことが可能となる。
【００１１】
本発明の目画像撮像装置は、前記鏡を前記開口部を設けないハーフミラーとしたことを特徴とする。この構成により、鏡の構成が簡単となり、製造コストが低減する。
【００１２】
本発明の目画像撮像装置は、前記鏡を可視光を吸収する材料で構成したことを特徴とする。この構成により、別途、可視光カットフィルタを挿入する必要がなくなり、装置構成が簡単となり製造コストが低減する。
【００１３】
本発明の目画像撮像装置は、撮影範囲が被写体距離で横ｄ縦ｈであるような撮像装置を使用するとき前記鏡の大きさとして横ｄ／２、縦ｈ／２の鏡を用いたことを特徴とする。この構成により、被認証者は、撮像装置の撮影範囲内に自身の目が入ったか否かを容易に判断可能となる。
【００１４】
本発明の目画像撮像装置は、撮影範囲が被写体距離で横ｄ縦ｈであるような撮像装置を使用するとき前記鏡に横ｄ／２、縦ｈ／２の大きさの形状枠を設けたことを特徴とする。この構成によっても、被認証者は、撮像装置の撮影範囲内に自身の目が入ったか否かを容易に判断可能となる。
【００１５】
本発明の目画像撮像装置は、前記鏡の横の長さとして被写体の両目が写る長さとしたことを特徴とする。この構成により、被認証者は、目が傾かない状態で撮像させることが可能となる。
【００１６】
本発明の目画像撮像装置は、前記鏡として可視光吸収特性を持たせたことを特徴とする。この構成により、目画像を赤外線画像として撮像でき、鮮明で認証に好適な目画像を得ることが可能となる。
【００１７】
本発明の目画像撮像装置は、前記鏡と前記撮像装置とが一体となって前記鏡を水平軸周りに回動させる機構を設けたことを特徴とする。この構成により、被認証者の背の高さに応じて調節ができ、使い勝手が優れた目画像撮像装置を提供できる。
【００１８】
【発明の実施の形態】
以下、本発明の一実施の形態を図面を参照して説明する。
【００１９】
図１は、本発明の第１の実施の形態に係る目画像撮像装置の外観図である。本実施の形態に係る目画像撮像装置９は、矩形の筐体１０と、筐体１０の前面に取り付けられた赤外線照明部１１と、筐体１０の前面に取り付けられた長方形の詳細は後述する誘導鏡４０と、誘導鏡４０の中心に設けられた開口部４２と、誘導鏡４０の背面側に取り付けられ筐体１０の前面に立つ被認証者の目画像を開口部４２を通して撮像する内蔵カメラ（撮像装置）３０（図２参照）とを備えて構成される。
【００２０】
図２は、上述した実施の形態に係る目画像撮像装置の撮像原理説明図である。撮像装置３０の光軸１４に対して垂直に誘導鏡４０が設けられ、誘導鏡４０の中心に設けられた開口部４２と光軸１４とが交わるように誘導鏡４０が配置される。これにより、被認証者は、自身の目１５が誘導鏡４０の開口部４２上に写る位置に移動すれば、目画像撮像装置９の撮影範囲に自身の目１５を誘導でき、確実に目画像を撮影させることが可能となる。
【００２１】
図３は、誘導鏡４０の詳細構成図である。撮像装置３０の前面に取り付ける誘導鏡４０が、撮像装置３０の光軸に対して垂直に配置される。本実施の形態に係る誘導鏡４０は、被認証者の目を誘導するためのものであり、矩形の透明板４１と、透明板４１の中央に設けられた開口４２と、透明板４１の表側両脇に設けられた遮光板４３、４４と、透明板４１の背面のうち両脇以外に塗布された反射膜４５と、透明板４１の裏側両脇の反射膜４５が設けられなかった部分に塗布された発光膜４６、４７とを備え、撮像装置３０の光軸が開口４２の中心を通るように配置される。
【００２２】
発光膜４６、４７は、例えは蛍光塗料膜でなり、その背部に設けられた図示しない電球や発光素子からの光を受けて可視光を発光する様になっている。尚、発光膜４６、４７を設けずに、透明板４１の裏側両脇から発光素子の光が透明板４１に入射する構成でもよい。
【００２３】
図４は、上述した実施の形態に係る誘導鏡４０の前に立った被認証者の誘導方法を説明する図である。例えば図４（ａ）に示す様に、被認証者が、自身の右目（あるいは左目）で誘導鏡４０に写った自身の左目（あるいは右目）の像を見ている状態（図１５で説明した状態）になると、撮像装置３０で撮った画像５０は、顔の中心線を中心とする画像となってしまい、目の画像をとらえることができない。
【００２４】
しかし、本実施の形態に係る誘導鏡４０を用いると、この状態を、被認証者が容易に認識することができる。即ち、右目（または左目）で誘導鏡４０に写っている左目（または右目）の像を見ている状態では、遮光板４３、４４の背後に隠れている発光膜４６、４７の両方が見える状態（図４（ａ）の状態）となっているためである。これにより、被認証者は、後述する図４（ｂ）または図４（ｃ）の状態となる位置に移動することで、良好な目画像を撮像させることが可能となる。
【００２５】
図４（ｂ）は、被認証者が自身の右目で誘導鏡４０に写っている自身の右目の像を見ている状態を示す図である。この状態では、被認証者は、左右の目で左側の発光膜４６を見ることはできないが、左目で右側の発光膜４７を見ることができるため、右目の画像が撮像される位置にいると認識でき、そのときの撮像画像５１には右目の画像が写っている。
【００２６】
図４（ｃ）は、被認証者が自身の左目で誘導鏡４０に写っている自身の左目の像を見ている状態を示す図である。この状態では、被認証者は、左右の目で右側の発光膜４７を見ることはできないが、右目で左側の発光膜４６を見ることができるため、左目の画像が撮像される位置にいると認識でき、そのときの撮像画像５２には左目の画像が写っている。
【００２７】
この様に、本実施の形態によれば、発光膜４６、４７の見える状態により、自身が誘導鏡４０をどちらの目で見ているかが分かり、誘導鏡で見ている像が反対側の目であるか否かを認識できるので、誘導の失敗を無くすことが可能となる。なお、本実施の形態では、誘導鏡４０と一体に発光膜４６、４７や遮光板４３、４４を形成したが、発光膜４６、４７と遮光板４３、４４の構造体を誘導鏡４０と別体に設け、誘導鏡４０を薄い普通の鏡とすることでもよい。
【００２８】
図５は、本発明の第２の実施の形態に係る誘導鏡の構成図であり、（ａ）は前から見た斜視図、（ｂ）は背面側の斜視図である。撮像装置５５の前面に矩形の誘導鏡６０が撮像装置５５の光軸に垂直に配置されている。誘導鏡６０は、被認証者の目を誘導するためのものであり、透明板６１と、透明板６１の中央に設けられた開口６２と、透明板６１の背面全面に塗布された反射膜６３と、透明板６１の前面側左右の縁に沿って設けた反対目誘導防止マーク６４、６５とからなる。反対目誘導防止マーク６４、６５は、裏と表で色が異なっている。
【００２９】
この実施の形態に係る誘導鏡を用いた場合、図４（ａ）で説明したように、右目で左目の像を見ている状態では、被認証者は、反対目誘導防止マーク６４、６５の裏面側の色が反射膜６３に写るため、自身が不正な位置に立っていると認識できる。
【００３０】
右目で誘導鏡６０に写っている右目の像を見ているときは、右側の反対目誘導防止マーク６５の裏側の色が反射膜６３に写り、逆に、左目で誘導鏡６０に写っている左目の像を見ているときは、左側の反対目誘導防止マーク６４の裏側の色が反射膜６３に写るため、被認証者は自身が正しい位置に立っていると認識することができる。尚、この実施の形態でも、誘導鏡６０に一体に反対目誘導防止マーク６４、６５を設けたが、前述と同様に、鏡と別体にすることも可能である。
【００３１】
図６は、本発明の第３の実施の形態に係る目画像撮像装置の撮影範囲と誘導鏡との関係を示す説明図である。目画像撮像装置の被写体距離における撮影範囲が横ｄ、縦ｈであるとき、目画像撮影装置の前面に取り付ける誘導鏡のサイズを、横ｄ／２、縦ｈ／２とすれば、誘導鏡に写る反射像と撮影範囲は、幾何光学理論上、等しくなる。従って、この実施の形態では、誘導鏡のサイズとして、横ｄ／２、縦ｈ／２のものを使用する。これにより、被認証者は、誘導鏡に映っている範囲が撮影される範囲であると判断できる。
【００３２】
図７は、本発明の第４の実施の形態に係る目画像撮像装置で用いる誘導鏡の構成図である。上記の第３の実施の形態では、誘導鏡のサイズ自体を、横ｄ／２、縦ｈ／２としたが、本実施の形態に係る誘導鏡７０では、目画像撮像装置の被写体距離における撮影範囲が横ｄ、縦ｈであるとき、誘導鏡７０として大きめの鏡を使用し、更に、横ｄ／２、縦ｈ／２の大きさの誘導枠７１を付けておく。
【００３３】
これにより、誘導枠７１の内側に入る被認証者の画像は、目画像撮像装置が撮影する範囲の画像と等しくなるため、被認証者は、自身の目の像が誘導枠７１内に入る位置に立つことで、良好な目画像を撮像させることが可能となる。この様に、撮影する範囲を示す誘導枠７１を誘導鏡７０に明示することで、被認証者の誘導が的確且つ容易となる。
【００３４】
図８は、本発明の第５の実施の形態に係る目画像撮像装置の外観図である。この実施の形態に係る撮像装置８０の前面には、横に長手の誘導鏡８１が設けられている。この誘導鏡８１は、被認証者の左右の目の像が両方とも写る長さを持っており、更にこの例では、中央位置に開口部８２が設けられ、開口部８２の背面側に撮像装置８０が配置される。撮像装置８０の光軸８３は、開口部８２の中心を通り、且つ誘導鏡８１は、光軸８３に対して垂直に配置される。
【００３５】
この実施の形態によれば、両目を誘導鏡８１に写す構成のため、目画像撮像装置８０に対して被認証者は目を水平に保つことが容易となり、正立した目画像すなわち傾いていない状態の目画像を撮像させることが容易となる。
【００３６】
図９は、本発明の第６の実施の形態に係る目画像撮像装置の外観図である。本実施の形態に係る目画像撮像装置８５は、矩形の筐体８６と、この筐体８６の前面位置に設けられた赤外線照明部８７と、筐体８６に内蔵された図示しない撮像装置と、この撮像装置の光軸８８に垂直で且つ撮像装置の前面位置に固定された矩形の誘導鏡８９とを備え、誘導鏡８９は、水平軸９０の周りに回動可能に筐体８６に取り付けられている。即ち、誘導鏡８９が回動したとき、撮像装置も誘導鏡８９と一体に動く様になっている。誘導鏡８９の中央には、撮像装置の光軸８８と交差する開口９１が設けられている。
【００３７】
誘導鏡８９は、上述した第１から第５の各実施の形態に係る誘導鏡のいずれかと同じでよく、本実施の形態では、その誘導鏡８９を水平軸９０の周りに回動可能に取り付けたことを特徴とする。この構成とすることで、背の高い被認証者が屈んだ状態で自身の目を誘導鏡８９に映すのが辛いときは、あるいは、背の低い被認証者が背伸びした状態で自身の目を誘導鏡８９に映すのが辛いときは、手で誘導鏡８９を矢印Ａ方向に回動させ、楽な姿勢で自身の目が誘導鏡８９に映るようにする。これにより、撮像装置の光軸８８を自身の目に向けることができ、良好な目画像を撮像させることが可能となる。
【００３８】
図１０は、本発明の第７の実施の形態に係る目画像撮像装置の外観図である。本実施の形態に係る目画像撮像装置９は、矩形の筐体１０と、筐体１０の前面に取り付けられた赤外線照明部１１と、筐体１０の前面に取り付けられた長方形の普通の鏡でなる誘導鏡１２と、誘導鏡１２の中心に設けられた開口部１３と、誘導鏡１２の背面側に取り付けられ筐体１０の前面に立つ被認証者の目画像を開口部１３を通して撮像する内蔵カメラ（撮像装置）１６（図１１参照）とを備えて構成される。
【００３９】
図１１は、上述した第７の実施の形態に係る目画像撮像装置の撮像原理説明図である。撮像装置１６の光軸１４に対して垂直に誘導鏡１２が設けられ、誘導鏡１２の中心に設けられた開口部１３と光軸１４とが交わるように誘導鏡１２が配置される。これにより、被認証者は、自身の目１５が誘導鏡１２の開口部１３上に写る位置に移動すれば、目画像撮像装置１０の撮影範囲に自身の目１５を誘導でき、確実に目画像を撮影させることが可能となる。また、本実施の形態に係る目画像撮像装置は、安価に製造することができる。
【００４０】
本実施の形態に係る目画像撮像装置９では、誘導鏡１２に開口部１３を設けたが、開口部１３は物理的な「開口」である必要はなく、誘導鏡１２の透明板背面に蒸着するアルミ等の反射膜を、この開口部１３の部分にだけ蒸着しない構成でもよい。
【００４１】
図１２は、本発明の第８の実施の形態に係る目画像撮像装置の外観図である。本実施の形態に係る目画像撮像装置１７は、矩形の筐体１８と、筐体１８の前面に取り付けられた赤外線照明部１９と、筐体１８の前面に取り付けられた長方形の誘導鏡２０と、誘導鏡２０の背面側に取り付けられた撮像装置２１（図１３参照）および２つの表示可視光光源部２２とを備えて構成される。
【００４２】
本実施の形態に係る誘導鏡２０は通常のハーフミラー、即ち、入射光の一部を反射し、残りを透過するような鏡でなり、撮像装置２１の光軸に対して垂直に配置される。また、表示可視光光源部２２は、被認証者に認証の判定結果を知らせたり、カメラの合焦結果を知らせたりして、被認証者を、目画像撮像装置１７の撮影位置に誘導するための可視光光源である。
【００４３】
図１３は、本実施の形態に係る目画像撮像装置の撮像原理説明図である。表示可視光光源部２２は、被認証者から見て誘導鏡２０の後側に配置されるが、誘導鏡２０は光の一部を透過するので、被認証者は表示可視光光源部２２を見ることができる。この誘導鏡２０は、撮像装置１７の光軸に垂直に配置されるため、被認証者が自身の目の像２３が誘導鏡２０の真ん中に写る位置に立つことで、認証に良好な目画像が撮像される。
【００４４】
このように、本実施の形態によれば、被認証者の目１５が撮像装置２１の撮影範囲に入るように小型且つ安価な装置構成で簡単に誘導でき、更に、認証の判定結果や合焦結果を被認証者に報知できるため、誘導鏡２０の面積を広くしても、被認証者を正しい位置に誘導することができる。尚、被認証者の目の位置の誘導精度を更に向上させるために、誘導鏡２０の表面中央にマークを付けることでもよい。
【００４５】
図１４は、本発明の第９の実施の形態に係る目画像撮像装置の外観図である。本実施の形態に係る目画像撮像装置２５は、矩形の筐体２６と、筐体２６の前面に取り付けられた赤外線照明部２７と、筐体２６の前面に取り付けられた長方形の可視光カットフィルタ（可視光吸収フィルタ）２８と、可視光カットフィルタ２８の背面側に取り付けられ筐体２６の前面に立つ被認証者の目画像を可視光カットフィルタ２８を通して撮像する撮像装置２９（図１５参照）とを備えて構成される。可視光カットフィルタ２８は、可視光を吸収し赤外光を透過する材料で造られた板材でなり、一部の可視光は可視光カットフィルタ２８の表面で反射するため、誘導鏡として機能する。
【００４６】
図１５は、上述した実施の形態に係る目画像撮像装置の撮像原理説明図である。可視光カットフィルタ２８は、撮像装置２９の光軸に対して垂直に配置され、被認証者が可視光カットフィルタ２８に自身の目１５の像が写るように立つ位置を移動することで、目画像撮像装置２５の撮影範囲内に目１５の位置を誘導できる。また、目画像撮像装置２５に可視光カットフィルタ２８を使用することで、誘導と可視光カットの両方を行うことができ、装置の製造コストを更に低減可能となる。尚、本実施の形態でも、被認証者の目の位置の誘導精度を更に向上させるために、可視光カットフィルタ２８の表面中央にマークを付けることができる。
【００４７】
上述した第７、第８、第９の実施の形態は、夫々、第１から第６の実施の形態と組み合わせて実現するのが好ましい。また、上述した各実施の形態に係る誘導鏡の形状を矩形（長方形）として説明したが、勿論その形状に限定されるものではなく、楕円形などの形状としても同様に機能させることが可能である。
【００４８】
【発明の効果】
本発明の目画像撮像装置によれば、被認証者が誘導鏡の中心や開口に自身の目が映るようにするだけで撮像装置の撮影範囲に目を位置合わせすることができる目画像撮像装置を提供することが可能となる。
【図面の簡単な説明】
【図１】本発明の第１の実施の形態に係る目画像撮像装置の外観図
【図２】本発明の第１の実施の形態に係る目画像撮像装置の撮像原理説明図
【図３】本発明の第１の実施の形態に係る目画像撮像装置で用いる誘導鏡の構成図
【図４】本発明の第１の実施の形態に係る誘導鏡を用いた目位置誘導の説明図
【図５】本発明の第２の実施の形態に係る目画像撮像装置で用いる誘導鏡の構成図
【図６】本発明の第３の実施の形態に係る目画像撮像装置の撮影範囲と誘導鏡の関係図
【図７】本発明の第４の実施の形態に係る目画像撮像装置で用いる誘導鏡の構成図
【図８】本発明の第５の実施の形態に係る目画像撮像装置の外観図
【図９】本発明の第６の実施の形態に係る目画像撮像装置の外観図
【図１０】本発明の第７の実施の形態に係る目画像撮像装置の外観図
【図１１】本発明の第７の実施の形態に係る目画像撮像装置の撮像原理説明図
【図１２】本発明の第８の実施の形態に係る目画像撮像装置の外観図
【図１３】本発明の第８の実施の形態に係る目画像撮像装置の撮像原理説明図
【図１４】本発明の第９の実施の形態に係る目画像撮像装置の外観図
【図１５】本発明の第１０の実施の形態に係る目画像撮像装置の外観図
【図１６】従来の目画像撮像装置の外観図
【図１７】従来の目画像撮像装置における目位置誘導の説明図
【符号の説明】
９、１７、２５、８５  目画像撮像装置
１６、２１、２９、３０、５５、８０  撮像装置
１１、１９、２７、８７  赤外線照明部
１２、２０、４０、６０、７０、８１、８９  誘導鏡
１３、４２、６２、８２、９１  開口部
１４、８３、８８  光軸
１５  被認証者の目
２２  表示可視光光源部
２３  目の反射像
２８  可視光カットフィルタ（可視光吸収フィルタ）
４１、６１  透明板
４３、４４  遮光板
４６、４７  発光膜
６４、６５  反対目誘導防止マーク
【図１】
0004148700.tif 000002
【図２】
0004148700.tif 000003
【図３】
0004148700.tif 000004
【図４】
0004148700.tif 000005
【図５】
0004148700.tif 000006
【図６】
0004148700.tif 000007
【図７】
0004148700.tif 000008
【図８】
0004148700.tif 000009
【図９】
0004148700.tif 000010
【図１０】
0004148700.tif 000011
【図１１】
0004148700.tif 000012
【図１２】
0004148700.tif 000013
【図１３】
0004148700.tif 000014
【図１４】
0004148700.tif 000015
【図１５】
0004148700.tif 000016
【図１６】
0004148700.tif 000017
【図１７】
0004148700.tif 000018